【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションを行う設計支援装置において、
前記本体装置をシミュレーションする本体シミュレータと、
前記第１及び前記第２のアクセサリ装置の各々に対応して設けられ、前記第１及び前記第２のアクセサリ装置をシミュレーションするアクセサリシミュレータと、
前記動作シミュレーションが行われるシミュレーション空間において前記本体装置と前記第１及び前記第２のアクセサリ装置とを識別するシミュレーション空間識別子と、前記本体シミュレータ及び前記アクセサリシミュレータが相互に接続されるネットワーク空間において前記本体シミュレータと前記アクセサリシミュレータとを識別するネットワーク空間識別子とを対応付ける対応情報を表す管理テーブルを、前記本体シミュレータと前記アクセサリシミュレータとに対して配布する配布手段と、
前記管理テーブルを参照して前記本体シミュレータと前記アクセサリシミュレータとを前記ネットワーク空間で連携動作させるととともに、前記アクセサリシミュレータ同士を前記ネットワーク空間で連携動作させる連携シミュレーション手段と、
を備えることを特徴とする設計支援装置。
【請求項２】
本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションを行う設計支援装置において、
前記本体装置をシミュレーションする本体シミュレータと、前記第１及び前記第２のアクセサリ装置の各々に対応して設けられ前記第１及び前記第２のアクセサリ装置をシミュレーションするアクセサリシミュレータとを起動して接続待ち状態とする起動手段と、
前記動作シミュレーションが行われるシミュレーション空間において前記本体装置と前記第１及び前記第２のアクセサリ装置とを識別するシミュレーション空間識別子、前記本体シミュレータ及び前記アクセサリシミュレータが相互に接続されるネットワーク空間において前記本体シミュレータと前記アクセサリシミュレータとを識別するネットワーク空間識別子、及び前記本体装置と前記第１及び前記第２のアクセサリ装置の物理配置を示す物理接続管理番号を対応付けた管理テーブルを参照して、前記接続待ち状態となっている前記本体シミュレータ及び前記アクセサリシミュレータを検出して、前記シミュレーション空間においてネットワークを形成するネットワーク形成手段と、
前記検出されたシミュレータの全てに対して、前記管理テーブルを配布する配布手段と、
前記管理テーブルに従って、前記本体シミュレータと前記アクセサリシミュレータの物理配置を決定する物理配置処理手段と、
前記物理配置の順番で、前記本体シミュレータ及び前記アクセサリシミュレータの間における連携処理を行う連携処理手段と、
を備えることを特徴とする設計支援装置。
【請求項３】
本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションをコンピュータに実行させる設計支援プログラムであって、
前記動作シミュレーションが行われるシミュレーション空間において、前記本体装置をシミュレーションする本体シミュレータと、前記第１及び前記第２のアクセサリ装置の各々に対応して設けられ前記第１及び前記第２のアクセサリ装置をシミュレーションするアクセサリシミュレータとを識別するシミュレーション空間識別子と、前記本体シミュレータ及び前記アクセサリシミュレータが相互に接続されるネットワーク空間において前記本体シミュレータと前記アクセサリシミュレータとを識別するネットワーク空間識別子とを対応付ける対応情報を表す管理テーブルを、前記本体シミュレータと前記アクセサリシミュレータとに対して配布する配布ステップと、
前記管理テーブルを参照して前記本体シミュレータと前記アクセサリシミュレータとを前記ネットワーク空間で連携動作させるととともに、前記アクセサリシミュレータ同士を前記ネットワーク空間で連携動作させる連携シミュレーションステップと、
を備えることを特徴とする設計支援プログラム。
【請求項４】
本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションをコンピュータに実行させる設計支援プログラムにおいて、
前記本体装置をシミュレーションする本体シミュレータと、前記第１及び前記第２のアクセサリ装置の各々に対応して設けられ前記第１及び前記第２のアクセサリ装置をシミュレーションするアクセサリシミュレータとを起動して接続待ち状態とする起動ステップと、
前記動作シミュレーションが行われるシミュレーション空間において前記本体装置と前記第１及び前記第２のアクセサリ装置とを識別するシミュレーション空間識別子、前記本体シミュレータ及び前記アクセサリシミュレータが相互に接続されるネットワーク空間において前記本体シミュレータと前記アクセサリシミュレータとを識別するネットワーク空間識別子、及び前記本体装置と前記第１及び前記第２のアクセサリ装置の物理配置を示す物理接続管理番号を対応付けた管理テーブルを参照して、前記接続待ち状態となっている前記本体シミュレータ及び前記アクセサリシミュレータを検出して、前記シミュレーション空間においてネットワークを形成するネットワーク形成ステップと、
前記動作シミュレーションが行われるシミュレーション空間において前記本体装置と前記第１及び前記第２のアクセサリ装置とを識別するシミュレーション空間識別子と、前記本体シミュレータ及び前記アクセサリシミュレータが相互に接続されるネットワーク空間において前記本体シミュレータと前記アクセサリシミュレータを識別するネットワーク空間識別子とを対応付けた管理テーブルを参照して、前記接続待ち状態となっている前記本体シミュレータ及び前記アクセサリシミュレータを検出して、前記シミュレーション空間においてネットワークを形成するネットワーク形成ステップと、
前記検出されたシミュレータの全てに対して、前記管理テーブルを配布する配布ステップと、
前記管理テーブルに従って、前記本体シミュレータと前記アクセサリシミュレータの物理配置を決定する物理配置処理ステップと、
前記物理配置の順番で、前記本体シミュレータ及び前記アクセサリシミュレータの間における連携処理を行う連携処理ステップと、
を備えることを特徴とする設計支援プログラム。
【手続補正２】
【補正対象書類名】明細書
【補正対象項目名】０００１
【補正方法】変更
【補正の内容】
【０００１】
本発明は、機構制御設計を支援するための設計支援装置及び設計支援プログラムに関するものである。より詳細には、シート状の搬送体を搬送する搬送機構を制御するためのソフトウェアの設計支援装置及び設計プログラムに関するものである。
【手続補正３】
【補正対象書類名】明細書
【補正対象項目名】００２３
【補正方法】変更
【補正の内容】
【００２３】
スタッカｃ−４は、例えば、後処理を別の装置で行う等の大量印刷時に印刷出力用紙を貯めて置く装置である。給紙デッキｃ−５、ｃ−６は、大量に用紙を補給できる装置であり、給紙された用紙はプリンタ本体ｃ−１に送られ、画像を印刷される。各装置は、通信用ケーブルｃ−７で接続される。
【手続補正４】
【補正対象書類名】明細書
【補正対象項目名】００３１
【補正方法】変更
【補正の内容】
【００３１】
上記目的を達成するために、本発明による設計支援装置は、本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションを行う設計支援装置において、前記本体装置をシミュレーションする本体シミュレータと、前記第１及び前記第２のアクセサリ装置の各々に対応して設けられ、前記第１及び前記第２のアクセサリ装置をシミュレーションするアクセサリシミュレータと、前記動作シミュレーションが行われるシミュレーション空間において前記本体装置と前記第１及び前記第２のアクセサリ装置とを識別するシミュレーション空間識別子と、前記本体シミュレータ及び前記アクセサリシミュレータが相互に接続されるネットワーク空間において前記本体シミュレータと前記アクセサリシミュレータとを識別するネットワーク空間識別子とを対応付ける対応情報を表す管理テーブルを、前記本体シミュレータと前記アクセサリシミュレータとに対して配布する配布手段と、前記管理テーブルを参照して前記本体シミュレータと前記アクセサリシミュレータとを前記ネットワーク空間で連携動作させるととともに、前記アクセサリシミュレータ同士を前記ネットワーク空間で連携動作させる連携シミュレーション手段とを備えることを特徴とする。
【手続補正５】
【補正対象書類名】明細書
【補正対象項目名】００３２
【補正方法】変更
【補正の内容】
【００３２】
また、本発明による設計支援装置は、本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションを行う設計支援装置において、前記本体装置をシミュレーションする本体シミュレータと、前記第１及び前記第２のアクセサリ装置の各々に対応して設けられ前記第１及び前記第２のアクセサリ装置をシミュレーションするアクセサリシミュレータとを起動して接続待ち状態とする起動手段と、前記動作シミュレーションが行われるシミュレーション空間において前記本体装置と前記第１及び前記第２のアクセサリ装置とを識別するシミュレーション空間識別子、前記本体シミュレータ及び前記アクセサリシミュレータが相互に接続されるネットワーク空間において前記本体シミュレータと前記アクセサリシミュレータとを識別するネットワーク空間識別子、及び前記本体装置と前記第１及び前記第２のアクセサリ装置の物理配置を示す物理接続管理番号を対応付けた管理テーブルを参照して、前記接続待ち状態となっている前記本体シミュレータ及び前記アクセサリシミュレータを検出して、前記シミュレーション空間においてネットワークを形成するネットワーク形成手段と、前記検出されたシミュレータの全てに対して、前記管理テーブルを配布する配布手段と、前記管理テーブルに従って、前記本体シミュレータと前記アクセサリシミュレータの物理配置を決定する物理配置処理手段と、前記物理配置の順番で、前記本体シミュレータ及び前記アクセサリシミュレータの間における連携処理を行う連携処理手段とを備えることを特徴とする。
【手続補正６】
【補正対象書類名】明細書
【補正対象項目名】００３３
【補正方法】変更
【補正の内容】
【００３３】
本発明による設計支援プログラムは、本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションをコンピュータに実行させる設計支援プログラムであって、前記動作シミュレーションが行われるシミュレーション空間において、前記本体装置をシミュレーションする本体シミュレータと、前記第１及び前記第２のアクセサリ装置の各々に対応して設けられ前記第１及び前記第２のアクセサリ装置をシミュレーションするアクセサリシミュレータとを識別するシミュレーション空間識別子と、前記本体シミュレータ及び前記アクセサリシミュレータが相互に接続されるネットワーク空間において前記本体シミュレータと前記アクセサリシミュレータとを識別するネットワーク空間識別子とを対応付ける対応情報を表す管理テーブルを、前記本体シミュレータと前記アクセサリシミュレータとに対して配布する配布ステップと、前記管理テーブルを参照して前記本体シミュレータと前記アクセサリシミュレータとを前記ネットワーク空間で連携動作させるととともに、前記アクセサリシミュレータ同士を前記ネットワーク空間で連携動作させる連携シミュレーションステップとを備えることを特徴とする。
【手続補正７】
【補正対象書類名】明細書
【補正対象項目名】００３４
【補正方法】変更
【補正の内容】
【００３４】
また、本発明による設計支援プログラムは、本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションをコンピュータに実行させる設計支援プログラムにおいて、前記本体装置をシミュレーションする本体シミュレータと、前記第１及び前記第２のアクセサリ装置の各々に対応して設けられ前記第１及び前記第２のアクセサリ装置をシミュレーションするアクセサリシミュレータとを起動して接続待ち状態とする起動ステップと、前記動作シミュレーションが行われるシミュレーション空間において前記本体装置と前記第１及び前記第２のアクセサリ装置とを識別するシミュレーション空間識別子、前記本体シミュレータ及び前記アクセサリシミュレータが相互に接続されるネットワーク空間において前記本体シミュレータと前記アクセサリシミュレータとを識別するネットワーク空間識別子、及び前記本体装置と前記第１及び前記第２のアクセサリ装置の物理配置を示す物理接続管理番号を対応付けた管理テーブルを参照して、前記接続待ち状態となっている前記本体シミュレータ及び前記アクセサリシミュレータを検出して、前記シミュレーション空間においてネットワークを形成するネットワーク形成ステップと、前記動作シミュレーションが行われるシミュレーション空間において前記本体装置と前記第１及び前記第２のアクセサリ装置とを識別するシミュレーション空間識別子と、前記本体シミュレータ及び前記アクセサリシミュレータが相互に接続されるネットワーク空間において前記本体シミュレータと前記アクセサリシミュレータを識別するネットワーク空間識別子とを対応付けた管理テーブルを参照して、前記接続待ち状態となっている前記本体シミュレータ及び前記アクセサリシミュレータを検出して、前記シミュレーション空間においてネットワークを形成するネットワーク形成ステップと、前記検出されたシミュレータの全てに対して、前記管理テーブルを配布する配布ステップと、前記管理テーブルに従って、前記本体シミュレータと前記アクセサリシミュレータの物理配置を決定する物理配置処理ステップと、前記物理配置の順番で、前記本体シミュレータ及び前記アクセサリシミュレータの間における連携処理を行う連携処理ステップとを備えることを特徴とする。
【手続補正８】
【補正対象書類名】明細書
【補正対象項目名】００３８
【補正方法】変更
【補正の内容】
【００３８】
本実施の形態の設計支援装置は、本体装置と、該本体装置に接続される少なくとも１つの第１のアクセサリ装置と、前記第１のアクセサリ装置のいずれかに接続される少なくとも１つの第２のアクセサリ装置とを有する画像形成システムの動作シミュレーションを行う設計支援装置である。具体的には、画像形成装置の紙搬送シミュレーションをパーソナルコンピュータ上で行うことのできる紙搬送シミュレータであり、画像形成装置を制御するファームソフトウェアの制御タイミング設計を支援するためのものである。